(57)【要約】【課題】  ラインセンサの受光素子の形状を主走査方向に長く副走査方向に短い形状とすることにより、副走査方向の画像検出の精度を向上させた画像読取装置を提供する。【解決手段】  原稿に光を照射する照射部と、主走査方向の一辺の長さが、主走査方向と垂直となる副走査方向の一辺の長さよりも長い受光素子であって、カラー画像信号検出用の受光素子の主走査方向の一辺の長さとモノクロ画像信号検出用の受光素子の主走査方向の一辺の長さとは、２：１の比率をもっており、カラー画像信号検出用の受光素子を主走査方向に複数個有しているラインセンサ２Ｒ，２Ｇ，２Ｂとモノクロ画像信号検出用の受光素子を主走査方向に複数個有しているラインセンサ２Ｂ／Ｗを用いて照射部の照射光の原稿からの反射光を受光して画像信号を出力する読取部と、読み取った画像信号に所定処理を施して出力する処理部をもつ画像読取装置。【選択図】図６
2008079341.tif 000002
【特許請求の範囲】
【請求項１】
原稿画像を主走査方向に読み取る画像読取装置であり、
原稿に光を照射する照射手段と、
前記主走査方向の一辺の長さが、前記主走査方向と垂直となる副走査方向の一辺の長さよりも長い受光素子であって、カラー画像信号検出用の受光素子の前記主走査方向の一辺の長さとモノクロ画像信号検出用の受光素子の前記主走査方向の一辺の長さとは、２：１の比率をもっており、前記カラー画像信号検出用の受光素子を前記主走査方向に複数個有しているラインセンサと前記モノクロ画像信号検出用の受光素子を前記主走査方向に複数個有しているラインセンサの複数のラインセンサを用いて、前記照射手段の照射光の前記原稿からの反射光を受光して画像信号を出力する読取手段と、
前記読取手段が読み取った前記画像信号に所定処理を施して出力する処理手段と、
を具備することを特徴とする画像読取装置。
【請求項２】
前記読取手段を前記副走査方向に所定速度で移動することで、前記原稿の全体からの前記反射光を受光する駆動手段を更に具備することを特徴とする請求項１記載の画像読取装置。
【請求項３】
原稿に光を照射する照射手段と、
前記主走査方向の一辺の長さが、前記主走査方向と垂直となる副走査方向の一辺の長さよりも長い受光素子であって、カラー画像信号検出用の受光素子の前記主走査方向の一辺の長さとモノクロ画像信号検出用の受光素子の前記主走査方向の一辺の長さとは、２：１の比率をもっており、前記カラー画像信号検出用の受光素子を前記主走査方向に複数個有しているラインセンサと前記モノクロ画像信号検出用の受光素子を前記主走査方向に複数個有しているラインセンサの複数のラインセンサを用いて、前記照射手段の照射光の前記原稿からの反射光を受光して画像信号を出力する読取手段と、
前記処理手段により所定処理が施された前記画像信号に基づいて、記録媒体上に画像を形成する画像形成手段と、
を具備することを特徴とする画像形成装置。
【発明の詳細な説明】
【技術分野】
【０００１】
この発明は、主走査方向と副走査方向とで長さが異なる受光素子をもつラインセンサを用いる画像読取装置及びこれを用いる画像形成装置に関する。
【背景技術】
【０００２】
最近、デジタル技術を用いた多様な画像情報機器が普及してきており、その一つである画像読取装置においても、高い精度が要望されてきている。このような画像読取装置においては、ＲＥＤ、ＧＲＥＥＮ、ＢＬＵＥの３ラインで構成された３ラインＣＣＤセンサが一般的に採用されている。３ラインＣＣＤセンサは、各々受光面上にＲＥＤ、ＧＲＥＥＮ、ＢＬＵＥの色フィルタを配置した３つの１次元上のラインセンサを並べた構成であるため、全てのラインセンサで原稿の同一箇所を同時に読取ることができない。そのため、原稿走査方向の位置ずれはラインメモリ等で構成されたメモリ回路を用いて各ラインセンサの読取った画像信号の位置合せを行っている。
【０００３】
又、上記カラー画像読取りのための３ラインＣＣＤセンサに加え、モノクロ画像読取りのため、受光面上に色フィルタを配置しないモノクロ読取り用のラインセンサを加えて、４ライン構成とした４ラインＣＣＤセンサも製品化されている。
【０００４】
この４ラインＣＣＤセンサを用いた場合、有彩色のカラー原稿は受光面に色フィルタを配置した３ラインＣＣＤセンサで読み、無彩色のモノクロ原稿は受光面に色フィルタを配置しないＣＣＤラインセンサで読取ることができるため、上記、３ラインＣＣＤセンサを用いてモノクロ原稿読取時に行ったＲＥＤ、ＧＲＥＥＮ、ＢＬＵＥの３色から白黒情報を生成する必要が無いため、上記処理が不要となり、かつ、処理による誤差が発生しないメリットがある。
【０００５】
特許文献１は、４ラインＣＣＤセンサが用いられている画像形成装置を示している。この画像形成装置においては、各ラインセンサが画像信号をそれぞれ読み取った後、適切なタイミングで補正処理し統一することで色ずれのない状態の画像情報として出力される。
【特許文献１】特開平１１−２２０５６９号公報
【発明の開示】
【発明が解決しようとする課題】
【０００６】
しかしながら、従来装置の４ラインＣＣＤセンサ等を用いる画像読取装置においては、３ラインＣＣＤセンサ部分でＲ，Ｇ，Ｂの光成分を選択させる色フィルタでの光減衰を考慮して、各フォトダイオードの受光面積が大きく取られている。このため、センサ全体の面積が大型化しており、コスト高を招くという問題がある。又、受光素子の形状を通常の正方形とした場合、原稿画像を読み取る際に、副走査方向の速度に関わらず、受光素子の副走査方向の長さに基づく読取範囲の重複が発生するため、副走査方向の画像読取精度が必ずしも十分に高いとはいえないという問題がある。
【０００７】
本発明は、ラインセンサの受光素子の形状を主走査方向に長く副走査方向に短い形状とすることにより、副走査方向の画像検出の精度を向上させた画像読取装置及びこれを用いた画像形成装置を提供することを目的とする。
【課題を解決するための手段】
【０００８】
課題を解決するための一実施形態は、
原稿画像を主走査方向に読み取る画像読取装置であり、
原稿に光を照射する照射手段と、
前記主走査方向の一辺の長さが、前記主走査方向と垂直となる副走査方向の一辺の長さよりも長い受光素子であって、カラー画像信号検出用の受光素子の前記主走査方向の一辺の長さとモノクロ画像信号検出用の受光素子の前記主走査方向の一辺の長さとは、２：１の比率をもっており、前記カラー画像信号検出用の受光素子を前記主走査方向に複数個有しているラインセンサと前記モノクロ画像信号検出用の受光素子を前記主走査方向に複数個有しているラインセンサの複数のラインセンサを用いて、前記照射手段の照射光の前記原稿からの反射光を受光して画像信号を出力する読取手段と、
前記読取手段が読み取った前記画像信号に所定処理を施して出力する処理手段と、
を具備することを特徴とする画像読取装置である。
【発明の効果】
【０００９】
副走査方向に短い受光画素をもつラインＣＣＤセンサを用いることで、副走査方向に読取精度を向上させ、更に、ラインＣＣＤセンサの面積縮小を図ることができる。
【発明を実施するための最良の形態】
【００１０】
以下、図面を参照してこの発明の実施形態である画像読取装置及びこれを用いた画像形成装置を詳細に説明する。
【００１１】
＜第１の実施形態＞
第１実施形態は、主走査方向に長く副走査方向に短い受光素子を有するＣＣＤラインセンサを少なくとも一つ用いた画像読取装置を提供するものである。図１は、本発明に係る画像読取装置の第１の実施形態である構成の概要を説明するブロック図、図２は、このＣＣＤラインセンサの詳細な構成の一実施の形態を示すブロック図、図３及び図４は、このＣＣＤラインセンサの動作の一例を説明するタイミングチャート、図５は、このラインセンサの形状と効果との関係を説明する説明図、図６は、このＣＣＤラインセンサの詳細な構成の一実施の形態を示すブロック図、図１０は、本発明に係る画像読取装置の一実施の形態を示す断面図である。
【００１２】
（構成）
本発明に係る第１の実施形態である画像読取装置１０は、図１において、第１の実施形態のＣＣＤラインセンサ１１−１と、検出信号が供給されるアナログ処理回路１２と、Ａ／Ｄ変換を行うアナログ／デジタル変換回路（Ａ／Ｄ変換回路）１３と、変換後の信号についてシェーディング補正を行うシェーディング補正回路１４とを有している。更に、本発明に係る第１の実施形態である画像読取装置１０は、ページメモリ１７と、各画像処理を行う出力用画像処理回路１８と、各部に動作タイミングを供給するタイミング発生回路１９と、全体の動作を司る制御部（ＣＰＵ）２０と、動作プログラム等を格納するメモリ２１と、ユーザの操作を可能とするコントロールパネル２２と、副走査方向にラインセンサを走査させるための機構系駆動回路２３と、原稿に光を照射する白色ランプ２４などを有している。
【００１３】
ここで、制御部（ＣＰＵ）２０は、メモリ２１に格納されているプログラムやデータに従い、又、メモリ２１をワーキングメモリとして用いながら、当該画像読取装置１０の全体の動作を制御するものである。
【００１４】
コントロールパネル２２は、カラーモードやモノクロモードなどの動作モードや印刷枚数などのユーザによる入力情報などを制御部２０に与えるものである。機構系駆動回路２３は、制御部２０の制御下で、副走査方向の移動機構などを駆動するものである。白色ランプ２４は、制御部２０の制御下で、原稿に白色光を照射するものである。
【００１５】
タイミング発生回路１９は、制御部２０の制御下で、ＣＣＤラインセンサ１１−１、アナログ処理回路１２、アナログ／デジタル変換回路１３、シェーディング補正回路１４、ページメモリ１７などに対するタイミング信号を生成して与えるものである。
【００１６】
ＣＣＤラインセンサ１１−１は、図２に示すような構成を備え、後述するように、２チャンネルの読取信号（アナログ信号）を得てアナログ処理回路１２に出力するものである。
【００１７】
アナログ処理回路１２は、２チャンネル構成からなり、ＣＣＤラインセンサ１１−１からの読取信号（アナログ信号）をデジタル信号へ変換するのに適した信号にするアナログ処理を行う。各チャンネルの構成はそれぞれ、カップリングコンデンサ、ＣＤＳ回路（又はサンプルホールド回路）、ゲインアンプ、オフセット除去回路などのレベルシフトをしたり、ノイズ成分を除去したり、増幅したりするなどの各要素から構成されている。
【００１８】
アナログ／デジタル変換回路１３は、アナログ処理回路１２から出力された読取信号をデジタル信号に変換してシェーディング補正回路１４に与えるものである。なお、２チャンネルの読取信号は、後述するようにフォトダイオードアレイの奇数番目のフォトダイオードからのチャンネルと、フォトダイオードアレイの偶数番目のフォトダイオードからのチャンネルとになっており、このアナログ／デジタル変換回路１３において、各チャンネルの読取信号がデジタル信号に変換された後、１系統の読取信号にまとめられる。
【００１９】
シェーディング補正回路１４は、デジタル読取信号に対し、フォトダイオードごとの感度ばらつきや、白色ランプ２４の照明むら（特に主走査方向の照明むら）などを補正してライン間補正回路１５に与えるものである。
【００２０】
ページメモリ１７は、読取原稿の画像信号を記憶するものである。ライン間補正回路１５から出力された画像信号（モノクロ信号）を記憶する。
【００２１】
出力用画像処理回路１８は、シェーディング補正回路１４から直接与えられた画像信号や、ページメモリ１７に一旦格納され、ページメモリ１７から読み出された画像信号を、当該画像読取装置１０からの出力形式などに応じて画像処理するものである。例えば、当該画像読取装置１０がイメージスキャナに設けられている場合には、外部のパソコンやプリンタに与えるように画像信号を処理する。また例えば、当該画像読取装置１０が複写機に搭載されている場合であれば、感光ドラムへの潜像を形成させる光学系を駆動し得るような画像処理が実行される。
【００２２】
（ＣＣＤラインセンサ）
上述したＣＣＤラインセンサ１１−１が図２により詳細に説明されており、このＣＣＤラインセンサ１１−１の全体が、例えば１チップとして実現されている。図２において、ＣＣＤラインセンサ１１−１は、光電変換構成からなる。
【００２３】
又、光電変換構成は、フォトダイオードアレイ２Ｂ／Ｗと、２個（２チャンネル）のシフトゲート３Ｂ／ＷＯ及び３Ｂ／ＷＥと、２個のＣＣＤアナログシフトレジスタ４Ｂ／ＷＯ及び４Ｂ／ＷＥと、２個のリセットゲート５Ｂ／ＷＯ及び５Ｂ／ＷＥと、２個のクランプ回路６Ｂ／ＷＯ及び６Ｂ／ＷＥと、２個のアンプ７Ｂ／ＷＯ及び７Ｂ／ＷＥとを有する。
【００２４】
シフトゲート３Ｂ／ＷＯ、ＣＣＤアナログシフトレジスタ４Ｂ／ＷＯ、リセットゲート５Ｂ／ＷＯ、クランプ回路６Ｂ／ＷＯ及びアンプ７Ｂ／ＷＯは、フォトダイオードアレイ２Ｂ／Ｗにおける奇数番目のフォトダイオードの蓄積電荷を処理するものであり、シフトゲート３Ｂ／ＷＥ、ＣＣＤアナログシフトレジスタ４Ｂ／ＷＥ、リセットゲート５Ｂ／ＷＥ、クランプ回路６Ｂ／ＷＥ及びアンプ７Ｂ／ＷＥは、フォトダイオードアレイ２Ｂ／Ｗにおける偶数番目のフォトダイオードの蓄積電荷を処理するものである。
【００２５】
フォトダイオードアレイ２Ｂ／Ｗは、主走査方向の位置が揃えて配置されている。ここで注目すべきは、フォトダイオードアレイ２Ｂ／Ｗの各フォトダイオードの受光面は、主走査方向の一辺が、副走査方向の一辺よりも長い長方形の形状で構成されていることである。これにより、後述するように、ＣＣＤラインセンサの専有面積を縮小することができ、更に、副走査方向の画像読取精度を向上させることができる。
【００２６】
又、上述したタイミング発生回路１９から第１の実施形態のＣＣＤラインセンサ１１−１に与えられるタイミング信号は、例えば、以下のようになっている。
【００２７】
２個のシフトゲート３Ｂ／ＷＯ及び３Ｂ／ＷＥに共通に与えられ、フォトダイオードアレイ２Ｂ／Ｗの蓄積電荷をＣＣＤアナログシフトレジスタ４Ｂ／ＷＯ及び４Ｂ／ＷＥに移行させることを指示するシフト指令信号ＳＨ−Ｂ／Ｗは、副走査読み取り速度に同期した周期である。
【００２８】
ＣＣＤアナログシフトレジスタから、蓄積電荷をシリアルに取り出すためのクロック信号ＣＬＫが、図３のタイミングチャートに示されるように、全てのＣＣＤアナログシフトレジスタ４Ｂ／ＷＯ及び４Ｂ／ＷＥに個別に供給される。
【００２９】
以上のようなＣＣＤラインセンサ１１−１の構成、及び、ＣＣＤラインセンサ１１−１へ与えるタイミング信号により、第１の実施形態のＣＣＤラインセンサ１１−１から検出信号を出力する。
【００３０】
（機械的構成）
更に、本発明に係る画像読取装置１０は、図１０の機械的な断面によっても説明される。即ち、本発明に係る画像読取装置１０であるスキャナ１１５は、図１０において、光源１０１と光源１０１の配光特性の補正を行うリフレクタ１０２と第１ミラー１０３からなる第１キャリジ１０４を有しており、更に、第２ミラー１０５と第３ミラー１０６からなる第２キャリジ１０７と集光レンズ１０８と、ＣＣＤラインセンサ１０９を実装するＣＣＤセンサ基板１１０とを有している。又、更に、上述したＣＣＤセンサ１１−１（又は後述する４ラインＣＣＤセンサ１１−２）の制御及び各種処理を行う制御基板１１１と、白色の基準となる白基準板１１２と、原稿Ｏを置くための原稿ガラス１１３と、原稿Ｏが浮かないように固定する目的の原稿押さえカバー１１４と、上記したこれらの構成を配置するためのスキャナ筐体１１５とから構成されている。
【００３１】
光源１０１から照射された光は原稿ガラス１１３を透過し、原稿Ｏに照射される。又、光源１０１から照射される光の配光は一様でなく、原稿Ｏ上の照度に配光ムラが生じてしまうため、リフレクタ１０２からの反射光も原稿Ｏに照射することで、原稿Ｏ上の配光を一様にすることができる。
【００３２】
原稿Ｏからの反射光は第１ミラー１０３、第２ミラー１０５、第３ミラー１０６で反射し、集光レンズ１０８を透過してＣＣＤラインセンサ１０９の受光面に結像する。ＣＣＤラインセンサ１０９はＣＣＤセンサ基板１１０上に実装され、制御基板１１１から入力する制御信号により制御される。
【００３３】
原稿押さえカバーは原稿ガラス１１３上に置かれた原稿Ｏの読取り面が原稿ガラス１１３に密着するように押さえつけるものである。
【００３４】
（動作説明）
次に、第１の実施形態のＣＣＤラインセンサ１１−１及び画像読取装置１０の動作を説明する。
【００３５】
図１に示す画像読取装置１０において、制御部２０は、コントロールパネル２２から、原稿読取りが指示されると、白色ランプ２４を点灯させたり、駆動回路２３によって読取機構系を駆動させたりすると共に、タイミング発生回路１９を介して間接的に又は直接的に、ＣＣＤラインセンサ１１−１、アナログ処理回路１２、アナログ／デジタル変換回路１３、シェーディング補正回路１４、ページメモリ１７などの電気処理系を起動させたりする。
【００３６】
タイミング発生回路１９は、ＣＣＤラインセンサ１１−１に対して、図３及び図４のタイミングチャートに示すようなシフト指令信号ＳＨ−Ｂ／Ｗやクロック信号Ｏ，Ｅやリセット信号ＲＳＴやクランプ信号ＣＰを与える。
【００３７】
ＣＣＤラインセンサ１１−１において、フォトダイオードアレイ２Ｂ／Ｗに光電変換により蓄積された電荷は、シフト指令信号ＳＨ−Ｂ／Ｗに従い、奇数画素及び偶数画素用の各ＣＣＤアナログシフトレジスタ４Ｂ／ＷＯ，４Ｂ／ＷＥに移行される。そして、クロック信号に従って、フォトダイオードアレイ２Ｂ／Ｗが次の光電変換、電荷蓄積している期間内で、各ＣＣＤアナログシフトレジスタ４Ｂ／ＷＯ，４Ｂ／ＷＥからシリアル出力される。そして、その後、それぞれ、リセットゲート５Ｂ／ＷＯ，５Ｂ／ＷＥ、クランプ回路６Ｂ／ＷＯ，６Ｂ／ＷＥ、アンプ７Ｂ／ＷＯ，７Ｂ／ＷＥを順次介して、アナログ処理回路１２に与えられる。
【００３８】
以上のようにＣＣＤラインセンサ１１−１から出力された検出信号は、アナログ処理回路１２において、レベルシフトやノイズ除去や増幅などが施された後、アナログ／デジタル変換回路１３において、１チャンネルの信号へ統一化され、デジタル信号に変換される。アナログ／デジタル変換器１３より出力されたデジタル信号は、シェーディング補正回路１４において、照明むらなどに対するシェーディング補正がなされる。
【００３９】
シェーディング補正回路１４からの出力信号は、ページメモリ１７に一旦格納された後読み出されて、又は、直接、出力用画像処理回路１８に与えられ、出力形式などに応じた画像処理が施され、この画像読取装置１０から出力される。
【００４０】
（効果の考察）
第１実施形態に係るＣＣＤラインセンサ１１−１の効果を図５を用いて考察する。図５において、本発明に係る主走査方向に長い形状をもつ受光素子２を有するラインセンサは、通常の正方形の形状をもつ受光素子８を有するラインセンサと比べ、以下のように、画像読取精度の違いが推察できる。
【００４１】
すなわち、図５において、本発明に係る受光素子２と通常の正方形の受光素子８とで、原稿上の文字画像を示す斜線部分を副走査方向に順次、読み取る場合を考えてみる。（ａ）に示すように、画素サイズの異なる受光素子２，８を同一条件で配置し、（ｂ）で本発明に係る受光素子の読取った結果を、（ｃ）で通常の正方形の受光素子で読み取った結果を、それぞれ、時刻ｔ１，ｔ２，ｔ３，ｔ４，ｔ５において、示している。
すなわち、受光素子のサイズが、副走査方向に長ければ長いほど、その長さの範囲で反射光の平均値が取られることになるため、精度が低下することとなる。
（ｂ）において、時刻ｔ１は、画像を読んでいないので値は零となる。  
（ｃ）において、時刻ｔ１は、画像を読んでいないので値は同様に零となり、これは、両者とも正しい値を示している。  
（ｂ）において、時刻ｔ２は、画像を読んでいないので値は零となる。  
（ｃ）において、時刻ｔ２は、受光素子８が画像を読んでいる部分を一部含んでいるため、値は、２０％くらいを示しており、これは誤差である。  
（ｂ）において、時刻ｔ３は、画像を読んでいるため値は１００％となる。  
（ｃ）において、時刻ｔ３は、受光素子８が画像を読んでいるので値は１００％となり、これは、正しい値であり、誤差は含まれていない。  
（ｂ）において、時刻ｔ４は、画像を読んでいるため値は１００％となる。  
（ｃ）において、時刻ｔ４は、受光素子８が画像を読んでいるが、一部、画像を読んでいないので、値は８０％となり、これは、誤差を含んでいる。  
（ｂ）において、時刻ｔ５は、画像を読んでいないので値は零となる。  
（ｃ）において、時刻ｔ５は、受光素子８が画像を読んでいないが、一部、画像を読んでいるため、値は２０％となり、これは、誤差を含んでいる。
【００４２】
以上のように、時刻ｔ２、ｔ３、ｔ４において、従来の正方形の形状の受光素子で測定した場合に、誤差が生じている。このように、副走査方向の長さが長くなるだけ、検出精度が低下し、副走査方向の長さが短くなるだけ、読取範囲の重複を避けることができるので、検出精度が向上することがわかる。従って、本発明に係る副走査方向に短い形状による受光素子をもつラインセンサによる画像読取装置は、面積縮小と読取精度の向上を図ることが可能となる。
【００４３】
又、上述の第１の実施形態においては、フォトダイオードアレイの奇数番目、偶数番目に振り分けられたアナログシフトレジスタを有する２チャンネル構成で記述されているが、この構成が、１チャンネル構成であっても同様の効果を有する。
【００４４】
＜第２の実施形態＞
本発明に係る第２実施形態は、カラー画像信号検出用受光素子とモノクロ画像信号検出用受光素子とに対して、主走査方向に長く副走査方向に短い受光素子を有するＣＣＤラインセンサを用いた画像読取装置を提供するものである。図面を参照しながら、本発明による画像読取装置及び画像読取装置の第２の実施形態を以下に簡単に説明する。図６は、本発明に係る画像読取装置の第２の実施形態である４ラインＣＣＤセンサの詳細な構成の一実施の形態を示すブロック図、図７は、本発明に係る画像読取装置の第２の実施形態の構成の一実施の形態を示すブロック図、図８は、第２の実施形態である４ラインＣＣＤセンサを示すブロック図、図９は、この４ラインＣＣＤセンサの動作の一例を説明するタイミングチャート、図１０は、本発明に係る画像読取装置の一実施の形態を示す断面図である。
【００４５】
以下、第２の実施形態の画像読取装置及び画像読取装置を、第１の実施形態との相違点を中心に説明する。
【００４６】
図６は、第２の実施形態の４ラインＣＣＤセンサ１１−２の構成を示すブロック図であり、第１の実施形態のＣＣＤラインセンサ１１−１に係る上述した図２との同一対応部分には同一対応符号を付して示している。
【００４７】
ここで、ライン間補正回路１５は、３原色Ｒ，Ｇ，Ｂ用のフォトダイオードアレイや、モノクロ用のフォトダイオードアレイの副走査方向の位置の相違などを考慮して、シェーディング補正回路１４からの出力信号に対して、副走査方向に３原色Ｒ，Ｇ，Ｂやモノクロのラインを合わせた際の信号に変換して、カラー信号補正回路１６に与えるものである。
【００４８】
又、第２の実施形態の場合、ライン間補正回路１５は、後述するように、ＣＣＤラインセンサ１１−２から、カラーの出力（Ｒ出力、Ｇ出力、Ｂ出力）が１回（１ライン分）なされる間に、モノクロの出力（Ｂ／Ｗ出力１及びＢ／Ｗ出力２）が２回（２ライン分）なされるので、カラーの出力に対して、副走査方向のライン数（解像度）を２倍にする補間処理も行う。この補間処理としては、例えば、上下２ラインの信号の平均をその中間の位置（仮想位置）のラインの信号とする処理が適用される。
【００４９】
カラー信号補正回路１６は、カラーモードで機能するものであり、ライン間補正回路１５からのモノクロの出力信号の情報を利用して、ライン間補正回路１５からの３原色Ｒ，Ｇ，Ｂの出力信号が有する解像度を高めた３原色信号（カラー信号）に変換するものである。例えば、３００ｄｐｉの信号を６００ｄｐｉの信号に変換する。なお、カラー信号補正回路１６の詳細については後述する。
【００５０】
（４ラインＣＣＤセンサ）
第２の実施形態の４ラインＣＣＤセンサ１１−２は、図７に示すように、画像読取装置の信号処理の始まる位置に設けられる。第２の実施形態の４ラインＣＣＤセンサ１１−２は、第１の実施形態のＣＣＤラインセンサ１１−１が１つのフォトダイオードアレイで構成されているのに対して、複数のフォトダイオードアレイで構成されていることが特徴となっている。
【００５１】
図６において、４ラインＣＣＤセンサ１１−２は、３原色Ｒ，Ｇ，Ｂ毎の光電変換構成と、モノクロ用の光電変換構成とからなる。  
３原色Ｒ，Ｇ，Ｂ用の光電変換構成は、それぞれ、フォトダイオードアレイ２Ｒ，２Ｇ，２Ｂと、シフトゲート３Ｒ，３Ｇ，３Ｂと、ＣＣＤアナログシフトレジスタ４Ｒ，４Ｇ，４Ｂと、リセットゲート５Ｒ，５Ｇ，５Ｂと、クランプ回路６Ｒ，６Ｇ，６Ｂと、アンプ７Ｒ，７Ｇ，７Ｂとを有する。  
又、モノクロ用の光電変換構成は、フォトダイオードアレイ２Ｂ／Ｗと、２個（２チャンネル）のシフトゲート３Ｂ／ＷＯ及び３Ｂ／ＷＥと、２個のＣＣＤアナログシフトレジスタ４Ｂ／ＷＯ及び４Ｂ／ＷＥと、２個のリセットゲート５Ｂ／ＷＯ及び５Ｂ／ＷＥと、２個のクランプ回路６Ｂ／ＷＯ及び６Ｂ／ＷＥと、２個のアンプ７Ｂ／ＷＯ及び７Ｂ／ＷＥとを有する。
【００５２】
シフトゲート３Ｂ／ＷＯ、ＣＣＤアナログシフトレジスタ４Ｂ／ＷＯ、リセットゲート５Ｂ／ＷＯ、クランプ回路６Ｂ／ＷＯ及びアンプ７Ｂ／ＷＯは、フォトダイオードアレイ２Ｂ／Ｗにおける奇数番目のフォトダイオードの蓄積電荷を処理するものであり、シフトゲート３Ｂ／ＷＥ、ＣＣＤアナログシフトレジスタ４Ｂ／ＷＥ、リセットゲート５Ｂ／ＷＥ、クランプ回路６Ｂ／ＷＥ及びアンプ７Ｂ／ＷＥは、フォトダイオードアレイ２Ｂ／Ｗにおける偶数番目のフォトダイオードの蓄積電荷を処理するものである。
【００５３】
３原色Ｒ，Ｇ，Ｂ用のフォトダイオードアレイ２Ｒ，２Ｇ，２Ｂ及びモノクロ用のフォトダイオードアレイ２Ｂ／Ｗは、主走査方向の位置が揃えて配置されていると共に、副走査方向には、図８に示すように、各フォトダイオードアレイ２Ｒ，２Ｇ，２Ｂ，２Ｂ／Ｗのセンターライン（１点鎖線で図示）間の間隔が読取りピッチの整数倍になるように配置されている。
【００５４】
３原色Ｒ，Ｇ，Ｂ用のフォトダイオードアレイ２Ｒ，２Ｇ，２Ｂ及びモノクロ用のフォトダイオードアレイ２Ｂ／Ｗの各フォトダイオードの受光面は、例えば、（副走査画素サイズ：カラー用主走査画素サイズ：モノクロ用主走査画素サイズ）＝（１：２：４）になされている。
【００５５】
第２の実施形態の場合、３原色Ｒ，Ｇ，Ｂ用のフォトダイオードアレイ２Ｒ，２Ｇ，２Ｂの各フォトダイオードの主走査受光素子サイズに対して、モノクロ用のフォトダイオードアレイ２Ｂ／Ｗの各フォトダイオードの主走査受光素子サイズの比率は、１：２となっている。なお、３原色Ｒ，Ｇ，Ｂ用のフォトダイオードアレイ２Ｒ，２Ｇ，２Ｂの各フォトダイオードの受光素子サイズは同一であり、さらに３原色Ｒ，Ｇ，Ｂ用のフォトダイオードアレイ２Ｒ，２Ｇ，２Ｂの各フォトダイオードの副走査受光素子サイズとモノクロ用フォトダイオードアレイ２Ｂ／Ｗの各フォトダイオードの副走査受光素子サイズは同一である。従って、モノクロ用のフォトダイオードアレイ２Ｂ／Ｗのフォトダイオード数は、３原色Ｒ，Ｇ，Ｂ用のフォトダイオードアレイ２Ｒ，２Ｇ，２Ｂのフォトダイオード数の２倍となっている。
【００５６】
ここで、カラー画像信号用受光素子の主走査サイズ：モノクロ画像信号用受光素子の主走査サイズは、２：１であってもよいし、３：１であってもよく、３：２であってもよく、又は、他の整数比であることも好適である。尚、ｎ：１（ｎは２以上の整数）の場合は制御タイミングが容易になるという効果を有する。
【００５７】
又、上述したタイミング発生回路１９から第２の実施形態の４ラインＣＣＤセンサ１１−２に与えられるタイミング信号は、例えば、以下のようになっている。
【００５８】
３原色Ｒ，Ｇ，Ｂ用のシフトゲート３Ｒ，３Ｇ，３Ｂに与えられ、フォトダイオードアレイ２Ｒ，２Ｇ，２Ｂの蓄積電荷をＣＣＤアナログシフトレジスタ４Ｒ，４Ｇ，４Ｂに移行させることを指示するシフト指令信号ＳＨ−Ｒ，ＳＨ−Ｇ，ＳＨ−Ｂは同一のものとなっている。これに対して、モノクロ用の２個のシフトゲート３Ｂ／ＷＯ及び３Ｂ／ＷＥに共通に与えられ、フォトダイオードアレイ２Ｂ／Ｗの蓄積電荷をＣＣＤアナログシフトレジスタ４Ｂ／ＷＯ及び４Ｂ／ＷＥに移行させることを指示するシフト指令信号ＳＨ−Ｂ／Ｗは、上述した３原色用のシフト指令信号ＳＨ−Ｒ，ＳＨ−Ｇ，ＳＨ−Ｂの１／２の周期のものとなっている（後述する図９に示される）。
【００５９】
これに対して、ＣＣＤアナログシフトレジスタから、蓄積電荷をシリアルに取り出すためのクロック信号は、全てのＣＣＤアナログシフトレジスタ４Ｒ，４Ｇ，４Ｂ，４Ｂ／ＷＯ及び４Ｂ／ＷＥに個別に入力されるが、入力タイミングは共通なものとなっている（後述する図９に示される）。
【００６０】
以上のような４ラインＣＣＤセンサ１１−２の特徴、及び、４ラインＣＣＤセンサ１１−２に与えるタイミング信号の特徴により、第１の実施形態の４ラインＣＣＤセンサ１１−２からのモノクロ画像信号（Ｂ／Ｗ出力１及びＢ／Ｗ出力２）の解像度は、主走査方向及び副走査方向共に、カラーに係る出力信号（Ｒ出力、Ｇ出力、Ｂ出力）の解像度の２倍になっている。
【００６１】
例えば、モノクロ用のフォトダイオードアレイ２Ｂ／Ｗのフォトダイオード数（画素数）が７５００個の場合であれば、Ｒ出力、Ｇ出力、Ｂ出力として１〜３７５０番目のフォトダイオードの蓄積電荷が順次出力されているときに、Ｂ／Ｗ出力１として、１，３，…，７４９９番目（奇数番目）のフォトダイオードの蓄積電荷が順次出力されると共に、Ｂ／Ｗ出力２として、２，４，…，７５００番目（偶数番目）のフォトダイオードの蓄積電荷が並行して順次出力される。なお、モノクロ用のシフト指令信号ＳＨ−Ｂ／Ｗが、３原色用のシフト指令信号ＳＨ−Ｒ，ＳＨ−Ｇ，ＳＨ−Ｂの１／２の周期となっているので、Ｂ／Ｗ出力１及びＢ／Ｗ出力２が蓄積電荷の有効な出力となっているときに、Ｒ出力、Ｇ出力、Ｂ出力がなにも出力していない周期も生じる。
【００６２】
４種類のフォトダイオードアレイ２Ｒ，２Ｇ，２Ｂ及び２Ｂ／Ｗの副走査方向の順番は任意であるが、モノクロ用のフォトダイオードアレイ２Ｂ／Ｗが、３原色Ｒ，Ｇ，Ｂ用のフォトダイオードアレイ２Ｒ，２Ｇ，２Ｂ間にあるのではなく、端（図での一番上又は一番下）にあることが、カラーに係る３出力（Ｒ出力、Ｇ出力、Ｂ出力）のバランスの面から好ましい。図６は、モノクロ用のフォトダイオードアレイ２Ｂ／Ｗが一番下にある場合を示している。
【００６３】
（動作説明）
次に、第２の実施形態の４ラインＣＣＤセンサ１１−２及び画像読取装置１０の動作を説明する。以下では、カラーモードでの動作を中心に説明する。
【００６４】
図７に示す画像読取装置１０において、制御部２０は、コントロールパネル２２から、カラーモードでの原稿読取りが指示されると、白色ランプ２４を点灯させたり、駆動回路２３によって読取機構系を駆動させたりすると共に、タイミング発生回路１９を介して間接的に又は直接的に、４ラインＣＣＤセンサ１１−２、アナログ処理回路１２、アナログ／デジタル変換回路１３、シェーディング補正回路１４、ライン間補正回路１５、カラー信号補正回路１６、ページメモリ１７などの電気処理系を起動させる。
【００６５】
なお、読取機構系における副走査方向の移動速度は、カラーモードの場合も、モノクロモードの場合と同一である。
【００６６】
タイミング発生回路１９は、４ラインＣＣＤセンサ１１−２に対しては、図９及び図４のタイミングチャートに示すようなシフト指令信号ＳＨ−Ｒ，ＳＨ−Ｇ，ＳＨ−Ｂ，ＳＨ−Ｂ／Ｗやクロック信号やリセット信号やクランプ信号を与える。
【００６７】
４ラインＣＣＤセンサ１１−２において、３原色Ｒ，Ｇ，Ｂ用のフォトダイオードアレイ２Ｒ，２Ｇ，２Ｂに光電変換により蓄積された電荷は、シフト指令信号ＳＨ−Ｒ，ＳＨ−Ｇ，ＳＨ−Ｂに従い、ＣＣＤアナログシフトレジスタ４Ｒ，４Ｇ，４Ｂに移行され、クロック信号に従って、フォトダイオードアレイ２Ｒ，２Ｇ，２Ｂが次の光電変換、電荷蓄積している期間内で、ＣＣＤアナログシフトレジスタ４Ｒ，４Ｇ，４Ｂからシリアル出力され、その後、リセットゲート５Ｒ，５Ｇ，５Ｂ、クランプ回路６Ｒ，６Ｇ，６Ｂ、アンプ７Ｒ，７Ｇ，７Ｂを順次介して、アナログ処理回路１２に与えられる。
【００６８】
ここで、図４に示すように、リセットゲート５Ｒ，５Ｇ，５Ｂには、クロック信号の有意パルス期間の前半期間でリセット信号が与えられ、画素間の信号が確実に切り分けられ、又、クランプ回路６Ｒ，６Ｇ，６Ｂには、クロック信号の有意パルス期間の後半期間でクランプ信号が与えられ、読み出された画素信号をクランプする。
【００６９】
これに対して、モノクロ用のフォトダイオードアレイ２Ｂ／Ｗに光電変換により蓄積された電荷は、シフト指令信号ＳＨ−Ｂ／Ｗに従い、奇数画素及び偶数画素用の各ＣＣＤアナログシフトレジスタ４Ｂ／ＷＯ，４Ｂ／ＷＥに移行され、クロック信号に従って、フォトダイオードアレイ２Ｂ／Ｗが次の光電変換、電荷蓄積している期間内で、各ＣＣＤアナログシフトレジスタ４Ｂ／ＷＯ，４Ｂ／ＷＥからシリアル出力される。その後、それぞれ、リセットゲート５Ｂ／ＷＯ，５Ｂ／ＷＥ、クランプ回路６Ｂ／ＷＯ，６Ｂ／ＷＥ、アンプ７Ｂ／ＷＯ，７Ｂ／ＷＥを順次介して、アナログ処理回路１２に与えられる。
【００７０】
ここで、シフト指令信号ＳＨ−Ｂ／Ｗは、３原色用のシフト指令信号ＳＨ−Ｒ，ＳＨ−Ｇ，ＳＨ−Ｂの１／２の周期のものとなっているので、図９に示すように、４ラインＣＣＤセンサ１１−２から、モノクロ出力（Ｂ／Ｗ出力１及びＢ／Ｗ出力２）が、副走査方向に２ライン分だけ出力されているときに、カラー出力（Ｒ，Ｇ，Ｂ出力）は、副走査方向に１ライン分だけ出力される。
【００７１】
以上のようにして４ラインＣＣＤセンサ１１−２から出力された３原色Ｒ，Ｇ，Ｂの出力信号や、モノクロの２チャンネルの信号は、アナログ処理回路１２において、レベルシフトやノイズ除去や増幅などが施された後、アナログ／デジタル変換回路１３において、デジタル信号に変換される。なお、モノクロの２チャンネルの信号は、アナログ／デジタル変換回路１３において、デジタル信号に変換されるだけでなく、１チャンネルの信号への統一も行われる。その後、３原色Ｒ，Ｇ，Ｂの信号（デジタル信号）及びモノクロ信号（デジタル信号）は、シェーディング補正回路１４において、照明むらなどに対するシェーディング補正がなされてライン間補正回路１５に与えられる。
【００７２】
シェーディング補正回路１４からの出力信号は、ライン間補正回路１５において、３原色Ｒ，Ｇ，Ｂ用のフォトダイオードアレイや、モノクロ用のフォトダイオードアレイの副走査方向の位置の相違などが考慮されて、副走査方向に３原色Ｒ，Ｇ，Ｂやモノクロのラインを合わせた際の信号に変換され、更に、カラー信号（Ｒ，Ｇ，Ｂ）については、副走査方向に倍密度の信号に変換されてカラー信号補正回路１６に与えられる。
【００７３】
カラー信号補正回路１６においては、上述したように、入力されたカラー信号（Ｒ，Ｇ，Ｂ）及びモノクロ信号（Ｋ）に対するＹＣｒＣｂ変換、その変換後の信号に対するＲＧＢ逆変換処理を行い、ライン間補正回路１５からの３原色Ｒ，Ｇ，Ｂの出力信号が有する解像度を副走査方向に高めた（２倍にした）３原色Ｒ，Ｇ，Ｂの信号（カラー信号）を得る。
【００７４】
このようなカラー信号は、ページメモリ１７に一旦格納された後読み出されて、又は、直接、出力用画像処理回路１８に与えられ、出力形式などに応じた画像処理が施されて、当該画像読取装置１０から出力される。
【００７５】
なお、モノクロモードでの画像読取動作は、４ラインＣＣＤセンサ１１−２から、カラー信号が出力されていても、モノクロ信号に対する処理系だけを有効に機能させる動作となる。
【００７６】
以上、詳細に述べたように、第２の実施形態の４ラインＣＣＤセンサ１１−２を用いた画像読取装置によれば、受光素子の形状を副走査方向に短く主走査方向に長くすることで、副走査方向における読取精度を向上させ、同時に、４ラインＣＣＤセンサ１１−２の面積を縮小することで、低コストを図ることができる。
【００７７】
＜他の実施形態＞
又、更に、本発明は、上述した第１及び第２実施形態の他に、以下のような実施形態が可能となる。
上記した実施形態では、カラー原稿を読取るカラーモードでも、モノクロ原稿を読取るモノクロモードでも、副走査方向の移動速度が同じ場合を示したが、異なる場合にも、本発明を適用することができる。すなわち、本発明の画像読取装置は、カラーモードとモノクロモードとで副走査方向の移動速度が異なる画像読取装置にも適用することが可能である。
又、上記した実施形態では、ラインＣＣＤセンサがモノクロ用のフォトダイオードアレイを有するものを示したが、モノクロ用のフォトダイオードアレイを備えない場合であっても、本発明の形状の受光画素を適用することができる。例えば、３原色Ｒ，Ｇ，Ｂのフォトダイオードの受光面積を感度などによって変更させても良い。
【００７８】
更に、上記した実施形態では、ラインＣＣＤセンサを１チップで構成するように説明したが、複数チップで構成したものであっても良い。
【００７９】
更に、又、上記した実施形態では、カラーモードにおいてもモノクロ信号を出力させるものを示したが、カラーモードにおいて、ラインＣＣＤセンサから３原色Ｒ，Ｇ，Ｂの信号だけを出力させるようにしても良い。
【００８０】
又、上記した実施形態では、カラー信号補正回路がモノクロ信号の情報を利用して、主走査方向又は副走査方向の一方の解像度変換を行うものを示したが、主走査方向及び副走査方向の双方の解像度変換を行うようにしても良い。例えば、第２の実施形態のように、カラーのフォトダイオードの受光面がモノクロのものに対して、主走査方向及び副走査方向に２倍である場合、まず、副走査方向にモノクロ信号の情報を利用して倍密度化し、その後、主走査方向にモノクロ信号の情報を利用して倍密度化するようにしても良い。
【００８１】
更に、カラー信号補正回路が必要とするモノクロ信号の情報は、カラー信号を得る読取動作とは異なる読取動作で得るようにしても良い。言い換えると、原稿に対する２度読みで、モノクロ信号とカラー信号とを別個に得るようにしても良い。
【００８２】
更に、又、上記した実施形態では、カラー信号補正回路が、ＹＣｒＣｂ変換、ＲＧＢ逆変換を順次行うものを示したが、ＹＣｒＣｂ変換用の式と、ＲＧＢ逆変換用の式とを整理して、ＹＣｒＣｂ変換及びＲＧＢ逆変換を統合して行う式を得、それに従い、ＹＣｒＣｂ変換及びＲＧＢ逆変換を統合して行うようにしても良い。なお、カラー信号補正回路は、ハードウェアで構成されていても良く、ソフトウェアで構成されていても良い。
【００８３】
又、光電変換を行う受光素子はフォトダイオードに限定されず、他の光電変換素子であっても良い。シフトレジスタもＣＣＤ構成のものに限定されない。
【００８４】
更に、上記各実施形態のラインＣＣＤセンサは、カラー信号として、３原色信号（Ｒ，Ｇ，Ｂ）を出力するものであったが、イエロー、シアン、マゼンタなどの他の色成分の組合せを出力する場合にも本発明を適用することができる。
【００８５】
＜本発明に係る画像読取装置を用いた画像形成装置の一例＞
又、更に、上述した画像読取装置を用いた画像形成装置の例を図面を用いて以下に詳細に説明する。図１１は、本発明に係る画像形成装置の一実施の形態の制御系を示すブロック図である。
【００８６】
（構成と動作）
本発明に係る画像読取装置を用いた画像形成装置である複合型複写装置Ｃは、図１１に示すように、全体の動作を制御するシステム制御部１２０と、これにそれぞれ接続され、ユーザの操作を受け操作情報を供給するコントロールパネル１２６と、上述した画像読取装置である画像読取装置１１５と、入力した画像情報を格納するＨＤＤ（Hard Disk Drive）等の記録媒体１２１と、色変換処理や色補正、画像縮小拡大等の各種画像処理を行う画像処理部１２２と、更に、与えられた画像情報に応じてレーザ光を発生させるレーザ光学系１２４と、このレーザ光を受けて像担持体であるドラムに画像を形成させ、用紙上に画像を定着させるための画像形成部１２５とからなる画像形成ユニット１２３とを有している。
ここで、画像読取装置１１５と画像形成ユニット１２３とを同期させて動作させる場合は、シフトパルスＳＨの周期が大きく関係するため、その説明の前に、画像形成ユニット１２３に関する説明を行う。
【００８７】
画像形成ユニット１２３では、画像情報に応じて半導体レーザの発光／消灯を行い、半導体レーザが発光した場合、感光体ドラムの表面電位が低下し、その電位が下降した部分に現像材であるトナーが付着する。その付着したトナーは印字される用紙に転写され、その後、過熱による定着を行うことで用紙に固定される。よって、半導体レーザが発光した部分に色が形成されることとなる。これらの形成部はＹＥＬＬＯＷ、ＭＡＧＥＮＴＡ、ＣＹＡＮに加え、ＢＬＡＣＫの４系統から構成される。ＹＥＬＬＯＷ、ＭＡＧＥＮＴＡ、ＣＹＡＮの３系統の画像形成部の半導体レーザが発光した場合、印字される用紙上にはＹＥＬＬＯＷトナー、ＭＡＧＥＮＴＡトナー、ＣＹＡＮトナーが全て重なり、黒情報を形成しようとするが、実際は黒情報とならないため、別にＢＬＡＣＫの画像形成部を設け、黒を再現することが一般的である。
【００８８】
各種画像処理部１２２によりＣＣＤラインセンサにより得られた画像情報は、半導体レーザの発光制御信号に変換される。レーザ制御基板（図示せず）により半導体レーザ制御信号は、レーザ制御基板に接続された半導体レーザを点灯又は消灯する電流信号に変換されることで半導体レーザは制御される。又、半導体レーザは、自然発光領域からレーザ発振領域に変化する電流値が温度により変化する特性を有するため、半導体レーザの主出力であるフロントビームを用いて画像を形成し、副出力であるバックビームを半導体レーザデバイス内に配置したフォトダイオードＰＤで検知することで、半導体レーザの発光量を検知し、その発光量と所望の発光量との差分を算出して半導体レーザの発光量制御を行うＡＰＣ（Auto Power Control）が一般的である。ここで、所望の発光量は、レーザ制御基板にＷＲＩＴＥ発光レベル設定電圧としてある電圧を印加することで設定できる。
【００８９】
ＡＰＣ処理を行った半導体レーザからの光出力は、集光レンズ１０８を透過し、回転多面鏡であるポリゴンミラーで反射し、一次元方向に走査する光となる。ポリゴンミラーで反射した光は、Ｆθレンズを透過し、第１の折り返しミラーにより反射して、像を形成するための感光体ドラムに照射する。又、Ｆθレンズを透過した光の一部は第１の折り返しミラーとは別の第２の折り返しミラーで反射し、同期信号検出センサに導かれる。この同期信号検出センサの出力が印字の水平方向の周期信号のＨＳＹＮＣ信号となる。
【００９０】
ＹＥＬＬＯＷ、ＭＡＧＥＮＴＡ、ＣＹＡＮ、ＢＬＡＣＫの各画像形成部は、このＨＳＹＮＣ信号に同期して制御される。
【００９１】
ａ．フルカラー印字動作時はＹＥＬＬＯＷの画像情報に応じたトナー、ＭＡＧＥＮＴＡの画像情報に応じたトナー、ＣＹＡＮの画像情報に応じたトナー、ＢＬＡＣＫの画像情報に応じたトナーが順番に印字される用紙にそれぞれ転写され、最後に過熱による定着処理を行い排紙される。
【００９２】
ｂ．モノクロ印字動作時は、印字される用紙搬送のためのベルトが図示のように移動し、ＢＬＡＣＫ系の画像形成部のみが用紙に接触するように動作するため、ＢＬＡＣＫの画像情報に応じたトナーのみが用紙に転写され、モノクロトナーのみの像が形成される。
【００９３】
このような各印字動作は、ポリゴンミラーの一面で半導体レーザからの光出力が感光体ドラムを１回走査する時間、すなわち、ＨＳＹＮＣ信号に同期して行われ、印字される用紙は、ＨＳＹＮＣ信号に同期して搬送される。
【００９４】
読取り同様、副走査方向の解像度６００ｄｐｉ、複写倍率１００％で書込みが行われるとすると、ＨＳＹＮＣ信号の１周期間で用紙は４２．３μｍ移動することになる。
【００９５】
このとき、画像読取装置部分と画像形成ユニット２５の副走査方向の解像度が同一である場合、原稿読取り速度又は用紙印字速度は４２．３μｍ／１ラインであるため、画像形成装置におけるレーザ光学ユニット内の同期信号検出センサの出力であるＨＳＹＮＣ信号を画像読取装置内のＣＣＤラインセンサのシフトパルスＳＨとして使用することも可能となる。
【００９６】
以上記載した様々な実施形態により、当業者は本発明を実現することができるが、更にこれらの実施形態の様々な変形例を思いつくことが当業者によって容易であり、発明的な能力をもたなくとも様々な実施形態へと適用することが可能である。従って、本発明は、開示された原理と新規な特徴に矛盾しない広範な範囲に及ぶものであり、上述した実施形態に限定されるものではない。
【図面の簡単な説明】
【００９７】
【図１】本発明に係る画像読取装置の第１の実施形態である構成の概要を説明するブロック図。
【図２】本発明に係る画像読取装置の第１の実施形態であるＣＣＤラインセンサの詳細な構成の一実施の形態を示すブロック図。
【図３】本発明に係る画像読取装置のＣＣＤラインセンサの動作の一例を説明するタイミングチャート。
【図４】本発明に係る画像読取装置のＣＣＤラインセンサの動作の一例を説明するタイミングチャート。
【図５】本発明に係る画像読取装置のラインセンサの形状と効果との関係を説明する説明図。
【図６】本発明に係る画像読取装置の第２の実施形態である４ラインＣＣＤセンサの詳細な構成の一実施の形態を示すブロック図。
【図７】本発明に係る画像読取装置の第２の実施形態の構成の一実施の形態を示すブロック図。
【図８】本発明に係る画像読取装置の第２の実施形態である４ラインＣＣＤセンサの各フォトダイオードアレイを示すブロック図。
【図９】本発明に係る画像読取装置の第２の実施形態である４ラインＣＣＤセンサの動作の一例を説明するタイミングチャート。
【図１０】本発明に係る画像読取装置の一実施の形態を示す断面図。
【図１１】本発明に係る画像形成装置の一実施の形態の制御系を示すブロック図。
【符号の説明】
【００９８】
２…受光素子、８…受光素子、１１−１…ＣＣＤラインセンサ、１２…アナログ処理回路、１３…Ａ／Ｄコンバータ、１４…シェーディング補正回路、１７…ページメモリ、１８…画像処理部、１９…タイミング発生回路、２０…ＣＰＵ、２１…メモリ、２２…コントロールパネル、２３…機構系駆動部、２４…白色ランプ。
【図１】
2008079341.tif 000003
【図２】
2008079341.tif 000004
【図３】
2008079341.tif 000005
【図４】
2008079341.tif 000006
【図５】
2008079341.tif 000007
【図６】
2008079341.tif 000008
【図７】
2008079341.tif 000009
【図８】
2008079341.tif 000010
【図９】
2008079341.tif 000011
【図１０】
2008079341.tif 000012
【図１１】
2008079341.tif 000013